(57)【要約】【課題】放射線ホルミシス効果をより一層高めることにより健康促進の補助が可能になる微弱量放射線放射石を充填したチューブ及びチューブを使用した健康具を提供する。【解決手段】本考案は、外的衝撃や熱を与えない静止した状態でも微弱放射線を放射する鉱物の粉もしくは粒を充填した人間やペット、携帯電話に装着可能な素材からなるチューブ及びチューブからなる健康具である。チューブ内部の微弱放射線放射鉱物は、粉もしくは粒にすることで表面積が増大し、放射線放出作用が高まり、放射線ホルミシス効果がより強く発揮される。このチューブは連結、長さ調節が可能な部品を接合又は接着することで、より多くの部位に装着でき、汎用性を高めることが可能となる。このチューブを身体もしくは携帯電話に装着可能な形状に形成し、装着することにより放射線ホルミシス効果は身体に作用し、被装着者の細胞を活性化させ健康を促進させる。【選択図】図１
0003113338.tif 000002
【実用新案登録請求の範囲】
【請求項１】
微弱の放射線放出鉱物を身体に装着可能なチューブに充填した微弱放射線放射鉱物充填チューブ。
【請求項２】
請求項１記載の微弱放射線放射鉱物充填チューブを縫合又は、接着した健康具。
【請求項３】
請求項１記載の微弱放射線放射鉱物充填チューブを縫合又は、接着した多数のチューブを連結できる連結部品を有する健康具。
【請求項４】
請求項１記載の微弱放射線放射鉱物充填チューブを縫合又は、接着した多数のチューブを連結できる連結部品を有するペット用健康具。
【請求項５】
請求項１記載の微弱放射線放射鉱物充填チューブを縫合又は、接着したチューブの長さを調整できる部品を有する健康具。
【請求項６】
請求項１記載の微弱放射線放射鉱物充填チューブを縫合又は、接着した携帯ストラップ。
【考案の詳細な説明】
【技術分野】
【０００１】  本考案は、微弱放射線を放射する天然鉱物の混合物を充填したチューブ及びチューブを使用した健康具に関する。
【背景技術】
【０００２】  放射線ホルミシスは、微弱の放射線によって発生した電子やイオンが、細胞の活性化、自然治癒力の促進、新陳代謝の亢進などの作用を発揮すると知られている。また、微弱の放射線を放射する鉱物は、マイナスイオン並びに遠赤外線も大量に放出されていることも知られている。従来、これらの鉱物をセラミックもしくは繊維、プラスチック、金属などに煉り込ませ、衣類、サポーター、装身具、生活雑貨等に取入れ、放射線ホルミシス、マイナスイオン、遠赤外線の効果・効能を利用していた。
【考案の開示】
【考案が解決しようとする課題】
【０００３】  従来の放射線ホルミシス商品、マイナスイオン商品は、利用用途に合わせ成形加工する必要があり、成形の際に鉱物をセラミックもしくは繊維、プラスチック、金属など他の素材と混合、煉り込ませることにより鉱物の含有量あるいは含有率が低下し、結果的に効果、効能が減少するという欠点があった。また、用途ごとに合わせた形状や素材に成形加工が必要であるため汎用性に欠け、他の用途や他の身体の部位に使用することが不可能という欠点があった。従って、次に示す手段により欠点を解決しようとするものである。
【課題を解決するための手段】
【０００４】  上記目的を達成するために請求項１に記載の微弱放射線放出鉱物充填チューブは、微弱放射線を放出する鉱物をチューブに充填した人間やペット、携帯電話用ストラップに装着可能な素材からなるチューブであり、形状・素材を限定しないことを特徴とする。【０００５】  本考案に使用する鉱物は、ＺｒＯ２、ＳｉＯ２、Ｐ２Ｏ５、Ａｌ２Ｏ３、Ｆｅ３Ｏ３、ＴｉＯ２、ＴｈＯ２などの成分を粉砕配合した粉もしくは粒を用いる。この成分を配合した鉱物は、静止した状態で半永久的に微弱の自然放射線を放出し、かつ、マイナスイオン、遠赤外線を大量に放出するものである。【０００６】  本考案に使用する鉱物は、粉砕した粉もしくは粒を使用することで、成形されたものと比較すると表面積は幾何級数的に増大し、膨大な表面エネルギーを発生させることとなり、微弱放射線放射量、マイナスイオン発生量、遠赤外線発生量が大幅に増加する。すなわち、放射線ホルミシス効果、マイナスイオン効果、遠赤外線効果がより強く発揮される。その粉砕した鉱物を加工することなくチューブ内に充填するため、被装着者は、より大きな効果、効能を得ることができる。【０００７】  また、これまでの放射線ホルミシス商品、マイナスイオン商品は、利用用途に合わせ成形加工する必要があり、成形の際に鉱物をセラミックもしくは繊維、プラスチック、金属など他の素材と混合、煉り込ませることにより鉱物の含有率は約５％が限度と考えられる。本考案は、チューブに鉱物を封入させることにより、５０％以上の鉱物の含有率にすることも可能であるため、これまでの商品と比較すると鉱物の含有量は約１０倍以上にすることも可能となる。すなわち、粉砕による表面積の向上、鉱物の含有量の向上により、これまでの商品では不可能であった放射線ホルミシス効果を得ることが可能になる。【０００８】  本考案に使用するチューブの材質・形状は特に限定されないが、身体の装着部位にフィットする材質・形状が好ましい。【０００９】  請求項２は、請求項１のチューブに金具やゴム、樹脂、繊維などの部品を縫着または、接着し、人間の身体の部位に負担なく装着可能にすることで、放射線ホルミシス効果は身体に作用し、被装着者の細胞を活性化させ健康を促進させることができる。【００１０】  請求項３は、請求項１のチューブ両端に連結部品を縫着または、接着することで多数のチューブからなる健康具を連結できる。チューブ健康具を多数連結できることで、身体各部位への汎用性が増し、使用用途も大幅に広がる。【００１１】  請求項４は、請求項３と同様に、請求項１のチューブに金具やゴム、樹脂、繊維などの部品を縫合または、接着し、ペットの身体の部位に負担なく装着可能にすることで、放射線ホルミシス効果はペット身体に作用し、半永久的に発生する放射線ホルミシス効果及びマイナスイオンが自己治癒力を高め、免疫機能、新陳代謝を促進し、自律神経の安定を高めストレスを解消することができる。また、チューブ両端に連結部品を縫着または、接着することで多数のチューブからなる健康具を連結できる。【００１２】  請求項５は、請求項１のチューブに金具やゴム、樹脂、繊維などの部品を縫合または、接着し、チューブの長さを用意に変更できるようにしたものである。チューブの長さを調整できることで、より身体の部位にフィットさせることができ、ホルミシス効果を強化にすることができる。また、長さが調整できることで、ネックレスがブレスレットにも併用できるなど汎用性が増加する。【００１３】  請求項６は、請求項１のチューブに金具やゴム、樹脂、繊維などの部品を縫合または、接着し、携帯電話用ストラップとすることで、チューブ内鉱物から発生するマイナスイオンが、携帯電話から発生する微弱電磁波を中和させることができ、電磁波障害から身体を予防することができる。
【考案の効果】
【００１４】  本考案の微弱放射線放射鉱物充填チューブは、微弱放射線を放射する鉱物を粉砕した粉もしくは粒の状態でチューブに充填されているため、表面積の増加と鉱物の含有量の増加により微弱放射線放射量、マイナスイオン量、遠赤外線量がより強く発揮されるため、放射線ホルミシス効果がより大きくなる。また、このチューブを使用した健康具は多数の連結、長さ調節が可能なため、より多くの用途、身体の部位に応用できることになり、利用範囲が大幅に広がる。
【考案の実施するための最良の形態】
【００１５】  チューブ本体に微弱放射線を放出する鉱物を粉砕した粉もしくは粒を充填する。そのチューブの両端は内部の鉱物が漏れ出さないよう詰め物を封入し栓をする。チューブ断面部の形状、太さ及びチューブの素材、長さは、特に限定されず、使用用途、装着部位、使用健康具の形状などにより選択できる。また、チューブに連結可能な金具や長さ調節が可能な部品を縫合または接着することで汎用性が増し、１本のチューブで身体各部位に装着可能となる。又、チューブの連結も可能となることで複数のチューブの連結することで、より多くの身体部位に使用することが可能となる。
【実施例】
【００１６】  本考案の実施の形態を添付図に基づいて以下に説明する。図１、図２は本考案に係るチューブの断面図である。このチューブの中空部には微弱放射線を放出する鉱物を粉砕した粉もしくは粒１１が充填されている。チューブ断面部の形状、太さ及びチューブの素材、長さは、特に限定されず、使用用途、装着部位、使用健康具の形状などにより選択できる。【００１７】  図３は、本考案に係る微弱放射線放射鉱物充填チューブの外観構成図である。チューブ１０の両端には、内容充填物である鉱物が出てしまうのを防ぐために、詰め物を封入し、栓をする。その両端には、金属やゴム、樹脂、繊維などの連結部品１２を縫合または、接着し身体部位に装着可能に加工されている。チューブの本数は１本でも複数本でも良いが、複数本になるほうが放射線ホルミシス効果、マイナスイオン効果、遠赤外線効果はより期待できる。【００１８】  図４は、本考案に係る微弱放射線放射鉱物充填チューブの長さを調整できる部品を装着した外観構成図である。図３の状態に長さを調整できる部品１４を縫合または、接着することで長さの調整が可能となる。部品の素材には金属やゴム、樹脂、繊維など特にこだわらないが、肌に負担のない素材が好ましい。チューブの長さ調節が可能になることでより身体の部位にフィットさせることができ、ホルミシス効果をさらに強化にすることができる。また、長さが調整できることで、ネックレスがブレスレットにも併用できるなど汎用性が増加する。チューブの本数は１本でも複数本でも良いが、複数本になるほうが放射線ホルミシス効果、マイナスイオン効果、遠赤外線効果はより期待できる。【００１９】  図５は、本考案にかかるチューブの長さを調整できる部品の外観図である。長さ調整部品１４のチューブ先端接合部分１６にチューブ先端を接着もしくは接合する。次に接着していない側のチューブをチューブ折返し部品１５に通した後、長さ調整部品１４のチューブ貫通部１７に通す。これにより長さ調整部品をスライドさせることで、チューブの長さを調整することが可能となる。これまでの健康具はネックレスであればその他部位に併用して装着することは不可能であったが、この部品を使用することで、例えばネックレスがブレスレットにも使用することが可能となり、汎用性が格段に増大する。【００２０】  図６は、本考案にかかるチューブまたは健康具を人間身体に装着した状態の外観図である。チューブの本数は１本でも複数本でも良い。【００２１】  図７は、チューブをペットに装着した状態を示す外観図である。チューブの本数は１本でも複数本でも良い。【００２２】  図８は、本考案に係るチューブを使用した携帯電話用ストラップの取付状態を示す斜視図であり、携帯電話１８の裏側にチューブストラップ１９を取付けた状態を示す。【００２３】  図９は、本考案に係る携帯電話用ストラップの外観構成図であり、チューブストラップ１９は、携帯電話に取付ける環状取付部２０と、この環状取付部２０に連結部材２１を介して連結した微弱放射線放射鉱物充填チューブ１０からなる。微弱放射線放射鉱物充填チューブの形状は、限定されず使用用途、装飾の形状などにより選択できる。チューブの本数は１本でも複数本でも良い
【図面の簡単な説明】
【００２４】
【図１】本考案に係る丸型チューブの断面図である。
【図２】本考案に係る角型チューブの断面図である。
【図３】本考案に係る微弱放射線放射鉱物充填チューブの外観構成図である。
【図４】本考案に係る微弱放射線放射鉱物充填チューブの長さを調整できる部品を装着した外観構成図である。
【図５】本考案にかかるチューブの長さを調整できる部品の外観図である。
【図６】本考案にかかるチューブまたは健康具を人間身体に装着した状態の外観図である。
【図７】チューブをペットに装着した状態を示す外観図である。
【図８】本考案に係るチューブを使用した携帯電話用ストラップの取付状態を示す斜視図である。
【図９】本考案に係る携帯電話用ストラップの外観構成図である。
【符号の説明】
【００２５】１０  チューブ本体
１１  微弱放射線を放出する鉱物を粉砕した粉もしくは粒
１２  連結部品
１３  連結金具
１４  長さ調整部品
１５  チューブ折返し部品
１６  長さ調整部品のチューブ先端接合部
１７  長さ調整部品のチューブ貫通部
１８  携帯電話
１９  チューブストラップ
２０  環状取付部
２１  連結部材
【図１】
0003113338.tif 000003
【図２】
0003113338.tif 000004
【図３】
0003113338.tif 000005
【図４】
0003113338.tif 000006
【図５】
0003113338.tif 000007
【図６】
0003113338.tif 000008
【図７】
0003113338.tif 000009
【図８】
0003113338.tif 000010
【図９】
0003113338.tif 000011